(57)【要約】【課題】  除菌剤による除菌作用および配管の洗浄作用を向上させるとともに、粗大汚染物の清掃作業を容易にできるようにする。【解決手段】  水除菌用容器１５は、粗大汚染物を係止する第１の容器１３と、この第１の容器１３を挿抜自在に装填する装填部２５を有する第２の容器１４とからなる。装填部２５と第１の容器１３との間には隙間６０が設けられており、第２の容器１４には除菌剤１７を充填する除菌剤充填空間が設けられている。水除菌用容器１５は、第２のフランジ２８が収容容器１６の係合部４２に係合することにより、収容容器１６に収容容器１６の内壁と隙間を有して支承される。第１の容器１３に係止された粗大汚染物を清掃するには、取手２４を把持して持ち上げることにより、第１の容器１３を装填部２５から取り外して行う。【選択図】  図６
2005230620.tif 000002
【特許請求の範囲】
【請求項１】
水に含まれる細菌を除菌する除菌剤が充填される水除菌用容器であって、通水性を有し水に含まれる粗大汚染物を係止する第１の容器と、この第１の容器を通過する水に含まれる細菌を除去する除菌剤が充填されかつ通水性を有する第２の容器とによって構成し、前記第２の容器に、前記第１の容器を挿抜自在に遊嵌状態で装填する装填部を設けたことを特徴とする水除菌用容器。
【請求項２】
請求項１記載の水除菌用容器において、前記第１の容器を、水を導入する導入口から他端側に向かって先細状に形成したことを特徴とする水除菌用容器。
【請求項３】
請求項１または２記載の水除菌用容器において、前記第１の容器の導入口の縁部に第１のフランジを設け、前記装填部の開口の縁部に前記第１のフランジが載置される第２のフランジを設けたことを特徴とする水除菌用容器。
【請求項４】
請求項３記載の水除菌用容器において、前記第２の容器の底部に除菌剤を充填するための開口を設け、この開口を閉塞または開放する蓋を設けたことを特徴とする水除菌用容器。
【請求項５】
請求項３記載の水除菌用容器を収容し水を導入する導入口と水を導出する導出口を有する収容容器であって、内壁に前記第２の容器の第２のフランジが係合し水除菌用容器を支承する係合部を設け、平面視において、前記導入口の向きと前記導出口の向きとを一致させずに、かつ共に収納容器の中心からずらしたことを特徴とする収容容器。
【請求項６】
請求項１記載の水除菌用容器を、循環槽の吸入口と濾過装置との間に介在させるとともに、濾過装置と循環槽の吐出口との間に、請求項１記載の第２の容器を介在させたことを特徴とする循環濾過装置。
【発明の詳細な説明】
【技術分野】
【０００１】
本発明は、循環式浴槽や循環式プール等の水に含まれるレジオネラ菌や大腸菌等の細菌を除菌するためまたは配管のバイオフィルムを洗浄するための水除菌用容器およびそれを収容する収容容器およびそれを使用した循環濾過装置に関するものである。
【背景技術】
【０００２】
循環式浴槽や循環式プール等においては、水の消費量を抑制するために水を循環させ、その循環経路に設置した濾過装置の前後に細菌を除菌する水除菌用容器を設けて浄化した水を循環使用している。従来の水除菌用容器は、両端部に水を導入する導入口と水を導出する導出口とが設けられた筒状ケーシングを有し、この筒状ケーシングの中央部に球状の永久磁石とフェライトセラミックとを混合した混合材を充填するとともに、導入口と導出口との近傍に水のミネラル化を高めて微生物が生存できない状態を作る波動エネルギーおよび直接的にレジオネラ菌を死滅させる働きをする波動エネルギーを転写したアルミ系材を充填したものがある（例えば、特許文献１参照）。また、有底円筒状に形成された網体と、この網体内にろ材を内装したヘアーキャッチャーもある（例えば、特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】特開２００１−２９３４７９号公報（段落「００１５」〜「００１８」、図１および図２）
【特許文献２】特許２９１８９５７号公報（２頁右欄２７〜２９行、第２図および第３図）
【発明の開示】
【発明が解決しようとする課題】
【０００３】
上述した従来の水除菌用容器のうち前者のものにおいては、導入口から導入された水がケーシング内を拡散することなく導出口に導かれるため、水が除菌剤に接触する時間が少なくなり、除菌剤による除菌作用が充分に行われないという問題があった。また、上述した従来の水除菌用容器のうち後者のものにおいては、網体にろ材を接触させた状態で使用する構造としているため、網体に絡みついた粗大汚染物が網体の間からろ材の表面に付着することにより、ろ材の濾過作用が低下するため、ろ材の交換時期を早くしなければならないという問題があった。
【０００４】
本発明は上記した従来の問題に鑑みなされたものであり、その目的とするところは、除菌剤による除菌作用および配管の洗浄作用を向上させるとともに、粗大汚染物の清掃作業を容易にできるようにしたことにある。
【課題を解決するための手段】
【０００５】
この目的を達成するために、請求項１に係る発明は、水に含まれる細菌を除菌する除菌剤が充填される水除菌用容器であって、通水性を有し水に含まれる粗大汚染物を係止する第１の容器と、この第１の容器を通過する水に含まれる細菌を除去する除菌剤が充填されかつ通水性を有する第２の容器とによって構成し、前記第２の容器に、前記第１の容器を挿抜自在に遊嵌状態で装填する装填部を設けたものである。
【０００６】
請求項２に係る発明は、請求項１に係る発明において、前記第１の容器を、水を導入する導入口から他端側に向かって先細状に形成したものである。
【０００７】
請求項３に係る発明は、請求項１または２に係る発明において、前記第１の容器の導入口の縁部に第１のフランジを設け、前記装填部の開口の縁部に前記第１のフランジが載置される第２のフランジを設けたものである。
【０００８】
請求項４に係る発明は、請求項３に係る発明において、前記第２の容器の底部に除菌剤を充填するための開口を設け、この開口を閉塞または開放する蓋を設けたものである。
【０００９】
請求項５に係る発明は、請求項３に係る水除菌用容器を収容し水を導入する導入口と水を導出する導出口を有する収容容器であって、内壁に前記第２の容器の第２のフランジが係合し水除菌用容器を支承する係合部を設け、平面視において、前記導入口の向きと前記導出口の向きとを一致させずに、かつ共に収納容器の中心からずらしたものである。
【００１０】
請求項６に係る発明は、請求項１に係る水除菌用容器を、循環槽の吸入口と濾過装置との間に介在させるとともに、請求項１に係る第２の容器を、濾過装置と循環槽の吐出口との間に介在させたものである。
【発明の効果】
【００１１】
請求項１に係る発明によれば、毛髪や絆創膏等の粗大汚染物を係止する第１の容器を設けたことにより、粗大汚染物の第１の容器からの通過が阻止されるとともに、この第１の容器に係止された粗大汚染物が除菌剤に絡みつくようなことがない。このため、第２の容器内を通過する水の流れの低下を防止することができるから、除菌剤の除菌作用が低下することがなく、除菌剤の交換時期を遅らすことができる。また、第１の容器を第２の容器に遊嵌状態で装填したことにより、両容器の間に隙間が形成されることにより、第１の容器に係止された粗大汚染物が第２の容器の表面に付着するようなことがない。このため、第１の容器から第２の容器内へ流入する水の量の低下を防止することができるから、除菌剤による除菌作用を向上させることができる。また、第２の容器に、第１の容器を挿抜自在に遊嵌状態で装填する装填部を設けたことにより、第１の容器から水が通過する通過面積と、第２の容器内に水が浸入する浸入面積とを増大させることができる。このため、第２の容器内へ流入する水の量を増加させることができるため、除菌作用が効率よく行えるとともに、除菌剤による除菌作用および配管の洗浄作用を向上させることができる。
【００１２】
請求項２に係る発明によれば、第１の容器を先細状に形成したことにより、第１の容器を通過した水が第２の容器内で下方のみならず全方向へ分散するため、水が除菌剤と接触する時間が長くなり、除菌剤による除菌作用が向上する。また、第１の容器を先細状に形成したことにより、除菌剤充填空間の体積を大きくすることができるため、第２の容器内に充填する除菌剤の充填量を多くすることができ、特に第１の容器を通過した水が、第２の容器内を通過するときその通過量の最も多くなる下部側の充填量を増量することができる。このため、第１の容器を通過した水が除菌剤に接触する時間を長くすることができるから、除菌剤による除菌作用を向上させることができるとともに、第１の容器を通過した水がすべての除菌剤に略均一に接触するから、除菌剤の交換時期を遅らすことができる。また、第１の容器を先細状に形成したことにより、第１の容器を第２の容器の装填部に装填しやすくなる。
【００１３】
請求項３に係る発明によれば、第１のフランジを第２のフランジに載置するだけで第２の容器の装填部に第１の容器を装填することができるとともに、第１の容器を持ち上げるだけで取り外すことができるから第１の容器から粗大汚染物を取り除く清掃作業が容易になる。
【００１４】
請求項４に係る発明によれば、第２の容器内に除菌剤を容易に隙間を少なく充填することができる。
【００１５】
請求項５に係る発明によれば、水導入口から収容容器内に導入された水は収容容器内で渦巻き状に流れるため、収容容器内を周回した後に導出口から導出される。このため、導入口から導入された浴槽水が導出口から導出されるまでの時間が長くなり、その分、水が水除菌用容器の第２の容器に充填された除菌剤に接触する時間を長くすることができるため、除菌剤による除菌作用および配管の洗浄作用を向上させることができる。
【００１６】
請求項６に係る発明によれば、第１の容器を第２の容器から取り外すことにより、除菌剤のみを充填し循環水系路全体の除菌用の容器としても兼用することができるため使い勝手が向上する。
【発明を実施するための最良の形態】
【００１７】
以下、本発明の実施の形態を図に基づいて説明する。図１は本発明に係る水除菌用容器が使用される循環水除菌装置の最小限の構成を示すモデル図、図２は同じく水除菌用容器を収納する収容器を示し、同図（Ａ）は平面図、同図（Ｂ）は正面図、図３は同じく水除菌用容器を分解して示す側断面図、図４は同じく水除菌用容器の第１の容器の平面図、図５は同じく水除菌用容器の第２の容器の平面図、図６は水除菌用容器を収容容器に収容した状態を示す側断面図である。
【００１８】
図１に符号１で示す循環槽としての循環式浴槽には、浴槽水２を吸入する吸入口３と、この吸入口３から配管１１を介して吸入される浴槽水２を循環水浄化装置５によって除菌・浄化し、除菌・浄化した水を循環式浴槽１内に供給する供給口４とを備えている。吸入口３と供給口４との間に設けた循環水浄化装置５は、浴槽水２に含まれる毛髪や絆創膏等の粗大汚染物の通過を阻止するとともに細菌を除菌する第１の除菌手段６と、浴槽水２を循環させるポンプ７と、浴槽水２を濾過する濾過装置８と、濾過された浴槽水２を加熱する熱交換器９と、循環水系路中に含まれる細菌を除菌する第２の除菌手段１０とを備えている。
【００１９】
次に、図３ないし図６を用いて、本発明の特徴である第１の除菌手段６について説明する。
【００２０】
第１の除菌手段６は、図６に示すように、浴槽水２に含まれる毛髪や絆創膏等の粗大汚染物の通過を阻止する第１の容器１３と、この第１の容器１３が装填され浴槽水２に含まれるレジオネラ菌や大腸菌等の細菌を除菌する除菌剤１７が充填された第２の容器１４とからなる水除菌用容器１５と、この水除菌用容器１５を収容する収容容器１６とによって構成されている。なお、第１の容器１３は一般にヘアーキャッチャーと称されるもので、後述するように、第１の容器１４から取り出し前記粗大汚染物を取り除き清掃した後、第２の容器１４に再装填するものである。
【００２１】
第１の容器１３は、図３および図４に示すように、底部２０と周側部２１とによって逆円錐台形のかご状に形成されており、全体が通水性を有しかつステンレス等の耐食性を有する材料からなる金網またはパンチングプレート等によって形成されている。ここでの通水性とは、第１の容器１３によって毛髪や絆創膏等等の粗大汚染物を係止しその通過を阻止し、かつ第１の容器１３からの水の通過を規制しない機能を有する物のことをいう。この第１の容器１３の上端は径がｒ１に形成された導入口２２が開口しており、この導入口２２の縁部には第１のフランジ２３が接合されており、この第１のフランジ２３には取手２４が立設されている。したがって、この第１の容器１３は、導入口２２から他端側である下端に向かって先細状に形成されている。
【００２２】
第２の容器１４は、図３に示すように、上記した第１の容器１３が装填される円錐台形状の空間からなる装填部２５が設けられた第１のバケット２６と、この第１のバケット２６の周りに設けられた円筒状を呈する第２のバケット２７と、これら第１のバケット２６と第２のバケット２７とが接合される第２のフランジ２８とによって概略形成されている。
【００２３】
第１のバケット２６は、逆円錐台形のかご状に形成され、底部３０と周側部３１とを有しており、全体が通水性を有しかつステンレス等の耐食性を有する材料からなる金網またはパンチングプレート等によって形成されている。ここでの通水性とは、前述したように第１のバケット２６から除菌剤１７が漏出するのを規制し、かつ第１の容器１３から通過した水の第１のバケット２６への通過を規制しない機能を有する物のことをいう。底部３０と周側部３１とに囲まれた空間が上述した装填部２５を形成しており、この装填部２５の外形は、上記第１の容器１３の外形と相似であり、装填部２５が第１の容器１３よりも大きく形成されている。また、第１のバケット２６の上端は導入口３２が開口しており、この導入口３２の縁部には第２のフランジ２８が接合されており、この第２のフランジ２８の内周部は導入口３２の周端から内側に長さδだけ突出し内フランジ２８ａを形成している。この内フランジ２８ａの径Ｒ１は、上記した第１の容器１３の第１のフランジ２３の内周部の径ｒ１よりもわずかに小さく形成されており、第２のフランジ２８には取手３３が立設されている。
【００２４】
第２のバケット２７は、略円筒状に形成された本体３５と、この本体３５の下方の開口３６を閉塞する蓋としての底板３７とからなり、底板３７は本体３５の下端に一体に形成した内フランジ３５ａにねじ３８によって取り付けられている。この第２のバケット２７は、全体が通水性を有しステンレス等の耐食性を有する材料からなる金網またはパンチングプレート等によって形成されている。ここでの通水性とは、前記同様第２のバケット２７から除菌剤１７が漏出するのを規制し、かつこの第２のバケット２７からの水の通過を規制しない機能を有する物のことをいう。第２のバケット２７の本体３５の径Ｒ３は、上記した第１のバケット２６の上端の径Ｒ２よりも大きく形成されている。この第２のバケット２７は第１のバケット２６と中心を一致させて、第１のバケット２６を囲むようにして、上端が上記第２のフランジ２８に接合されている。このようにして第１のバケット２６と第２のバケット２７とが第２のフランジ２８に接合されることにより、これら第１のバケット２６と第２のバケット２７との間に除菌剤１７を充填する除菌剤充填空間４０が形成される。
【００２５】
この除菌剤充填空間４０に除菌剤１７を充填するには、図３において、第２の容器１４を上下逆にし底板３７を上側に位置付けた状態で、ねじ３８による締結を解除し第２の容器１４の開口３６を閉塞している底板３７を取り外して開口３６を開放させる。この状態で、除菌剤１７を開口３６から除菌剤充填空間４０内に充填し、充填が終了したら、ねじ３８によって底板３７を第２の容器１４の内フランジ３５ａに取り付けて、底板３７によって開口３６を閉塞した後、第２の容器１４の上下を逆にし底板３７を下側に位置付ける。このように、第２の容器１４の第２のバケット２７の底部に開口３６を設け、この開口３６から除菌剤１７を充填するようにしたため、除菌剤１７を除菌剤充填空間４０内に容易に隙間を少なく充填することができる。なお、除菌剤１７としては、松下金属工業株式会社製のセラシーク２１や株式会社カルテックコーワ研究所製のカルサインを用いる。
【００２６】
この第２の容器１４の装填部２５内に第１の容器１３を装填し、水除菌用容器１５を形成するには、第２の容器１４の開口３２から、第１の容器１３を装填部２５内に挿入し、第１の容器１３の第１のフランジ２３を、第２の容器１４の第２のフランジ２８上に載置する。このとき、装填部２５の外形が第１の容器１３の外形と相似であり、かつ装填部２５が第１の容器１３よりも大きく形成されているから、図６（Ｂ）に示すように、装填部２５と第１の容器１３との間に隙間６０が形成されるように、第１の容器１３の外面と第２の容器１４の第１のバケット２６の内面とが対向する。また、内フランジ２８ａの径Ｒ１が第１の容器１３の第１のフランジ２３の内周部の径ｒ１よりもわずかに小さく形成されているため、装填部２５に装填された第１の容器１３の上端縁は内フランジ２８ａの内周端に係合し、隙間６０の間隔Ｄが全周にわたって均一な間隔δとなる。この隙間６０の間隔Ｄは、第１の容器１３に係止した粗大汚染物が第２の容器１４の第１のバケット２６に付着しないようにするために、２〜７ｍｍ程度とすることが望ましい。
【００２７】
収容容器１６は、図２および図６に示すように、上部側に比べて下部側が小径に形成された略有底円筒状を呈しており、中央部の内壁に傾斜した係合部４２が全周にわたって設けられている。この係合部４２には、上方の開口４３から挿入される上記した水除菌用容器１５の第２のフランジ２８が係合し、水除菌用容器１５は収容容器１６にこの収容容器１６の内壁と間隔を隔てて支承される。この収容容器１６の上部側の周部には、導入口４４ａが開口された導入筒４４が一体に突設され、下部側の周部には、導出口４５ａが開口された導出筒４５が一体に突設されている。４６は開口４３を閉塞する蓋であって、透明なプラスチックによって形成されており、ボルト４７によって収納容器１６のフランジ１６ａに取り付けられている。このように水除菌用容器１５が組み付けられた収容容器１６の導入口４４ａと導出口４５ａとに配管１１を接続する。
【００２８】
このように構成されていることにより、ポンプ７の吸引によって収容容器１６の導入口４４ａから収容容器１６内に導入された浴槽水２は、水除菌用容器１５の第１の容器１３の開口２２から第１の容器１３内に吸入される。吸入された浴槽水２は、第１の容器１３の底部２０と周側部２１から導出され、第１の容器１３を通過する。この第１の容器１３を浴槽水２が通過するときに、毛髪や絆創膏等の粗大汚染物が第１の容器１３に引っ掛かり通過を阻止されて係止される。一方、第１の容器１３を通過した浴槽水２は、第２の容器１４の第１のバケット２６から除菌剤充填空間４０内に導入され、この除菌剤充填空間４０に充填された除菌剤１７に接触する。したがって、浴槽水２に含まれていたレジオネラ菌や大腸菌等の細菌がこの除菌剤１７によって除菌され、除菌された浴槽水１７は第２のバケット２７から収容容器１６へ導出され、収容容器１６の導出口４５ａから配管１１へ導出される。
【００２９】
第１の容器１３の清掃は、透明なプラスチックによって形成された蓋４６を通して、第１の容器１３に係止された粗大汚染物の有無を目視によって確認し、清掃を要すると判断したときには、蓋４６を収容容器１６から取り外す。次いで、開口４３から手を収容容器１６内に差し入れて、第１の容器１３の取手２４を把持し、第２の容器１４の装填部２５から第１の容器１３を取り外し、開口４３から収容容器１６の外部に持ち出して粗大汚染物を取り除く。粗大汚染物を取り除き清掃した第１の容器１３を開口４３から収容容器１６内に挿入し、第１の容器１３の第１のフランジ２３を第２の容器１４の第２のフランジ２８上に載置することにより、第１の容器１３を装填部２５内に再装填し、蓋４６を収容容器１６に取り付けることにより開口４３を閉塞する。このように、第１の容器１３の第１のフランジ２３を第２の容器１４の第２のフランジ２８上に載置するだけで第２の容器１４の装填部２５に第１の容器１３を装填することができるとともに、第１の容器１３を持ち上げるだけで取り外すことができるから第１の容器１３の清掃作業が容易になる。
【００３０】
また、除菌剤１７の除菌作用が低下したと判断されるか、また一定の期間が経過し除菌剤の交換を行うときは、蓋４６を収容容器１６から取り外し、開口４３から手を収容容器１６内に差し入れて、第２の容器１４の取手３３を把持し、第１の容器１３と共に水除菌用容器１５を開口４３から収容容器１６の外部に取り出す。次いで、第１の容器１３を第２の容器１４の装填部２５から取り外し、第２の容器１４から底板３７と取り外して開口３６から使用済みの除菌剤１７を取り除き、新しい除菌剤１７を上述した手順で除菌剤充填空間４０に充填する。底板３７を第２の容器１４に取り付け、第２の容器１４の装填部２５に第１の容器１３を装填し、水除菌用容器１５を形成したら、第２の容器１４の取手３３を把持して、この水除菌用容器１５を開口から収容容器１６内に挿入し、水除菌用容器１５の第２のフランジ２８を収容容器１６の係合部４２に係合させることにより、水除菌用容器１５が収容容器１６に間隔を隔てて支承される。
【００３１】
このように、水除菌用容器１５に、毛髪や絆創膏等の粗大汚染物を係止する第１の容器１３を設けたことにより、粗大汚染物の第１の容器１３からの通過が阻止されるとともに、この第１の容器１３に係止された粗大汚染物が第１のバケット２６を通って除菌剤１７に絡みつくようなことがない。このため、第２の容器内１４内を流れる浴槽水２の流れの低下を防止することができるから、除菌剤１７の除菌作用が低下することがなく、除菌剤１７の交換時期を遅らすことができる。また、第１の容器１３と第２の容器１４との遊嵌状態により両容器間に隙間６０を形成したことにより、第１の容器１３に係止された粗大汚染物が第２の容器１４の浸水側の表面に付着するようなことがない。このため、第１の容器１３から第２の容器１４内へ流入する水の量の低下を防止することができるから、除菌剤１７による除菌作用を向上させることができる。また、第２の容器１４に、第１の容器１３を挿抜自在に遊嵌状態で装填する装填部２５を設けたことにより、第１の容器１３から浴槽水２が通過する通過面積と、第２の容器１４内に浴槽水２が浸水する浸水面積とを増大させることができる。このため、第２の容器１４内へ流入する浴槽水２の量を増加させることができるため、除菌作用が効率よく行えるとともに、除菌剤１７による除菌作用および配管の洗浄作用を向上させることができる。
【００３２】
また、第１の容器１３を開口２２から先端に向かって先細状に形成したことにより、第１の容器１３を通過した浴槽水２が第２の容器１４内で下方のみならず全方向へ分散するため、浴槽水２が除菌剤１７と接触する時間が長くなり、除菌剤１７による除菌作用が向上する。また、第１の容器１４を先細状に形成したことにより、除菌剤充填空間４０の体積を大きくすることができるため、第２の容器１４内に充填する除菌剤１７の充填量を多くすることができ、特に第１の容器１３を通過した水が、第２の容器１４内を通過するときその通過量の最も多くなる下部側の充填量を増量することができる。このため、第１の容器１３を通過した水が除菌剤１７に接触する時間を長くすることができるから、除菌剤１７による除菌作用を向上させることができるとともに、第１の容器１３を通過した浴槽水２がすべての除菌剤１７に略均一に接触するから、除菌剤１７の交換時期を遅らすことができる。また、第１の容器１３を先細状に形成したことにより、第１の容器１３を第２の容器の装填部に装填しやすくなる。また、本実施の形態によれば、収容容器１６内の既存のヘアーキャッチャーを水除菌用容器１５に交換するだけで収容容器１６をそのままヘアーキャッチャーとして使用することができる。
【００３３】
図７は本発明に係る収容容器の第２の実施の形態を示す平断面図である。
【００３４】
この第２の実施の形態に係る収容容器６６においては、導入口４４ａの向き、すなわち導入筒４４の突出方向Ｃ１と、導出口４５ａの向き、すなわち導出筒４５の突出方向Ｃ２とを、同図（Ａ）に示すように、平面視において互いに平行で、かつ一直線状に位置せずに間隔αだけずらし、かつこれら突出方向Ｃ１，Ｃ２を収容容器１６の中心Ｏから共に間隔βだけずらしている。
【００３５】
このように構成されていることにより、導入口４４ａから収容容器１６内に導入された浴槽水２は収容容器１６の内壁を沿うように渦巻き状に流れ、収容容器１６内を周回した後に導出口４５ａから導出される。このため、導入口４４ａから導入された浴槽水２が導出口４５ａから導出されるまでの時間が長くなり、その分、浴槽水２が水除菌用容器１５の第２の容器１４に充填された除菌剤１７に接触する時間を長くすることができるため、除菌剤１７による除菌作用を向上させることができる。なお、収容容器１６の導入口４４ａの向きと導出口４５ａの向きとを平行となるようにしたが、これら導入口４４ａの向きと導出口４５ａの向きとのなす角度を、直角または鈍角あるいは鋭角となるようにしてもよく、必ずしも平行となるようにしてなくてもよい。
【００３６】
また、本実施の形態においては、第２の容器１４の第２のバケット２７を円筒状に形成したが、第１のバケット２６と相似形となるように円錐台状に形成してもよく、その場合には第１のバケット２６を通過した浴槽水２が除菌剤充填空間４０に充填されたすべての除菌剤１７に均一に接触するため、除菌剤１７の交換時期を遅らすことができる。また、本実施の形態においては、水除菌用容器１５を循環水浄化装置５内に設け、濾過装置８や第２の除菌手段１０等と併用するようにしたが、家庭用の浴槽等において簡易除菌装置として水除菌用容器１５を単体で使用するようにしてもよい。また、水除菌用容器１５の第２の容器１４の装填部２５から第１の容器１３を取り外し、除菌剤充填空間４０内に除菌剤１７を充填した第２の容器１４を収納容器１６に収容した構造のものを、ヘアーキャッチャーを必要としない第２の除菌手段１０として使用してもよく、その場合には、水除菌用容器１５を循環水路系全体の除菌用の容器としても兼用することができるため使い勝手が向上する。
【図面の簡単な説明】
【００３７】
【図１】本発明に係る水除菌用容器が使用される循環水除菌装置の最小限の構成を示すモデル図である。
【図２】本発明に係る水除菌用容器を収納する収容器を示し、同図（Ａ）は平面図、同図（Ｂ）は正面図である。
【図３】本発明に係る水除菌用容器を分解して示す側断面図である。
【図４】本発明に係る水除菌用容器の第１の容器の平面図である。
【図５】本発明に係る水除菌用容器の第２の容器の平面図である。
【図６】水除菌用容器を収容した状態を示す収容容器の側断面図である。
【図７】本発明に係る収容容器の第２の実施の形態を示す平断面図である。
【符号の説明】
【００３８】
１…循環式浴槽、５…循環水浄化装置、６…第１の除菌手段、７…ポンプ、８…浄化装置、９…第２の除菌手段、１３…第１の容器（ヘアーキャッチャー）、１４…第２の容器、１５…水除菌用容器、１６，６６…収容容器、１７…除菌剤、２３…第１のフランジ、２５…装填部、２６…第１のバケット、２７…第２のバケット、２８…第２のフランジ、３６…開口、３７…底板、４０…除菌剤充填空間、４４ａ…導入口、４５ａ…導出口。
【図１】
2005230620.tif 000003
【図２】
2005230620.tif 000004
【図３】
2005230620.tif 000005
【図４】
2005230620.tif 000006
【図５】
2005230620.tif 000007
【図６】
2005230620.tif 000008
【図７】
2005230620.tif 000009